(57)【要約】  適応変調方式及びＦＤＤ方式の両者を採用し且つ固定レート信号と可変レート信号とを多重伝送する条件下において、無線伝送帯域に対するデータ伝送の効率を向上させるため、一方の無線伝送装置(2_1)は、複数の固定レート信号(FS1_1〜n)と可変レート信号(VS2)とを多重してフレーム(FR1)を生成し、無線伝送路(CH1)を介して他方の無線伝送装置(2_2)へ送信する。この時、装置(2_1)は、フレーム(FR1)に固定レート信号の多重数に関する情報(MN)を含める。装置(2_2)は、複数の固定レート信号(FS3_1〜n)と可変レート信号(VS3)とを多重してフレーム(FR2)を生成し、周波数が異なる無線伝送路(CH2)を介して装置(2_1)へ送信する。この時、装置(2_2)は、フレーム(FR2)における固定レート信号の多重数を、情報(MN)に応じて決定する。
2012164840.tif 000002
【特許請求の範囲】
【請求項１】
適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する通信手段と、
固定レートで並列に入力される複数の第１のデータ信号と、可変レートで入力される第２のデータ信号とを多重して、前記第１のフレームを生成する多重手段と、を備え、
前記多重手段は、前記第１のフレームに、前記第１のデータ信号の多重数に関する情報を含める、
無線伝送装置。
【請求項２】
請求項１において、
前記第２のフレームから、前記対向装置へ固定レートで並列に入力された複数の第３のデータ信号と、前記対向装置へ可変レートで入力された第４のデータ信号と、前記第３のデータ信号の多重数に関する情報とを分離する分離手段を、さらに備え、
前記多重手段は、前記第１のデータ信号の多重数を、前記第３のデータ信号の多重数に応じて決定する、
ことを特徴とした無線伝送装置。
【請求項３】
請求項２において、
前記多重手段は、前記第１のデータ信号の多重数を、前記第３のデータ信号の多重数に一致させる、
ことを特徴とした無線伝送装置。
【請求項４】
請求項２又は３において、
前記多重手段は、前記第１のデータ信号の多重数を削減すると決定した場合、前記削減により生じた前記第１のフレーム中の空き領域を、前記第２のデータ信号の多重に割り当てる、
ことを特徴とした無線伝送装置。
【請求項５】
請求項１〜４のいずれか一項において、
前記多重手段は、前記第１のデータ信号各々の優先度に応じて、前記第１のデータ信号の内から、前記第１のフレームに多重すべきデータ信号を選択する、
ことを特徴とした無線伝送装置。
【請求項６】
適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する通信手段と、
前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離する分離手段と、
自装置へ固定レートで並列に入力される複数の第３のデータ信号と、自装置へ可変レートで入力される第４のデータ信号とを多重して、前記第２のフレームを生成する多重手段と、を備え、
前記多重手段は、前記第３のデータ信号の多重数を、前記第１のデータ信号の多重数に応じて決定する、
無線伝送装置。
【請求項７】
請求項６において、
前記多重手段は、前記第３のデータ信号の多重数を、前記第１のデータ信号の多重数に一致させる、
ことを特徴とした無線伝送装置。
【請求項８】
適応変調方式を採用し、第１の無線伝送路を介して第１のフレームを送信すると共に、前記第１の無線伝送路とは異なる周波数が適用される第２の無線伝送路を介して第２のフレームを受信する第１の無線伝送装置と、
適応変調方式を採用し、前記第１の無線伝送路を介して前記第１の無線伝送装置から前記第１のフレームを受信すると共に、前記第２の無線伝送路を介して前記第１の無線伝送装置へ前記第２のフレームを送信する第２の無線伝送装置と、を備え、
前記第１の無線伝送装置は、
自装置へ固定レートで並列に入力される複数の第１のデータ信号と、自装置へ可変レートで入力される第２のデータ信号とを多重して、前記第１のフレームを生成し、
前記第１のフレームに、前記第１のデータ信号の多重数に関する情報を含め、
前記第２の無線伝送装置は、
前記第１のフレームから、前記第１のデータ信号、前記第２のデータ信号、及び前記第１のデータ信号の多重数に関する情報を分離し、
自装置へ固定レートで並列に入力される複数の第３のデータ信号と、自装置へ可変レートで入力される第４のデータ信号とを多重して、前記第２のフレームを生成し、
前記第３のデータ信号の多重数を、前記第１のデータ信号の多重数に応じて決定する、
無線伝送システム。
【請求項９】
適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する無線伝送装置の制御方法であって、
固定レートで並列に入力される複数の第１のデータ信号と、可変レートで入力される第２のデータ信号とを多重して、前記第１のフレームを生成し、
前記第１のフレームに、前記第１のデータ信号の多重数に関する情報を含める、
ことを含む無線伝送装置の制御方法。
【請求項１０】
適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する無線伝送装置の制御方法であって、
前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離し、
前記無線伝送装置へ固定レートで並列に入力される複数の第３のデータ信号と、前記無線伝送装置へ可変レートで入力される第４のデータ信号とを多重して、前記第２のフレームを生成し、
前記第３のデータ信号の多重数を、前記第１のデータ信号の多重数に応じて決定する、
ことを含む無線伝送装置の制御方法。
【発明の詳細な説明】
【技術分野】
【０００１】
本発明は、無線伝送装置、無線伝送システム、及び無線伝送装置の制御方法に関し、特に固定レート信号と可変レート信号とを１つの無線伝送帯域に多重して伝送する技術に関する。
【背景技術】
【０００２】
上記のような伝送技術を採用する無線伝送システムとして、ＦＷＡ(Ｆｉｘｅｄ Ｗｉｒｅｌｅｓｓ Ａｃｃｅｓｓ)システムが知られている。このＦＷＡシステムは、大略、対向する２台の無線伝送装置によって構成され、離れた２地点間(例えば、離島に位置する加入者と、山村地域に位置する加入者との間)において、ケーブル等を敷設すること無く通信サービスを提供することが可能である。【０００３】
各無線伝送装置には、ＩＴＵ−Ｔ(Ｉｎｔｅｒｎａｔｉｏｎａｌ Ｔｅｌｅｃｏｍｍｕｎｉｃａｔｉｏｎ Ｕｎｉｏｎ Ｔｅｌｅｃｏｍｍｕｎｉｃａｔｉｏｎ Ｓｔａｎｄａｒｄｉｚａｔｉｏｎ Ｓｅｃｔｏｒ) Ｇ．７０３等で規定されるような固定レートのデータ信号(以下、固定レート信号と呼称することがある)が並列に入力されると共に、イーサネット(登録商標)のような可変レートのデータ信号(以下、可変レート信号と呼称することがある)が入力される。各無線伝送装置は、可変レート信号と複数の固定レート信号とを多重し、１つの無線伝送路を介して対向装置へ伝送する。【０００４】
ところで、近年、無線伝送装置には、適応変調方式が採用されることが多い。これは、適応変調方式によれば、無線伝送路の状態に応じた伝送容量の最大化と最低限の伝送容量の確保とを両立させることが可能なためである。【０００５】
また、無線伝送装置には、ＦＤＤ(Ｆｒｅｑｕｅｎｃｙ Ｄｉｖｉｓｉｏｎ Ｄｕｐｌｅｘ)方式が併用されることも多い。ＦＤＤ方式では、上り無線伝送路と下り無線伝送路とに異なる周波数が適用され、上り無線伝送路と下り無線伝送路とではその無線伝送路特性が異なることが一般的である。【０００６】
このため、適応変調方式及びＦＤＤ方式の両者を採用する無線伝送装置では、上り無線伝送路と下り無線伝送路とに互いに異なる変調方式を選択し得る。この場合、対称性伝送路においては、上り無線伝送路と下り無線伝送路との間の対称性を保持できなくなり、また非対称性伝送路においては、所望の伝送比率を維持できなくなってしまうという問題があった。【０００７】
この問題に対処するための技術として、例えば特許文献１には、対向する無線伝送装置同士間で変調方式を常に一致させる方法が記載されている。より詳細には、特許文献１では、上り無線伝送路と下り無線伝送路との特性差異に因って無線伝送装置同士間で変調方式が異なった場合、変調方式を多値数の低い方向へ変更する制御が行われる。
【先行技術文献】
【特許文献】
【０００８】
【特許文献１】特開２００６−２１７６６３号公報
【特許文献２】特開２０１０−１７１５４２号公報
【発明の概要】
【発明が解決しようとする課題】
【０００９】
しかしながら、本願発明者は、上記の特許文献１には、無線伝送帯域に対するデータ伝送の効率化が図られていないという課題があることを発見した。これは、変調方式が多値数の低い方向へ変更され、この結果、伝送容量が最大となる変調方式を選択できないためである。換言すると、上記の特許文献１では、適応変調方式のメリット(伝送容量の最大化と最低限の伝送容量の確保との両立)が損なわれてしまう。【００１０】
一方、本願発明者は、ＦＷＡシステムのような無線伝送システムにおいては、無線伝送装置同士間で変調方式が異なると、無線伝送帯域に多重可能な固定レート信号の数が非対称となり、この結果、無線伝送帯域に対するデータ伝送の効率が低下してしまうという課題があることも発見した。一方の無線伝送装置が他方の無線伝送装置よりも多くの固定レート信号を多重する場合、他方の無線伝送装置では固定レート信号が冗長に受信され得るが、冗長な固定レート信号は処理されること無く破棄されてしまう。これは、他方の無線伝送装置では、冗長な固定レート信号に対する応答信号(これも固定レート信号)を送信するための帯域を確保できないためである。換言すると、一方の無線伝送装置では、無線伝送帯域に余剰な固定レート信号を多重してしまう。【００１１】
なお、参考技術として、特許文献２には、無線伝送装置同士間を主無線伝送路及び予備無線伝送路を介して接続すると共に、両伝送路に対して互いに異なる変調方式を適用し、固定レート信号を両伝送路へ伝送するシステムが記載されている。しかしながら、特許文献２に記載される技術は、無線リソースを冗長に使用し、むしろデータ伝送の効率化とは逆行するものである。【００１２】
従って、本発明は、適応変調方式及びＦＤＤ方式の両者を採用し、且つ固定レート信号と可変レート信号とを多重伝送する条件下において、無線伝送帯域に対するデータ伝送の効率を向上させることを目的とする。
【課題を解決するための手段】
【００１３】
上記の目的を達成するため、本発明の第１の態様に係る無線伝送装置は、適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する通信手段と、固定レートで並列に入力される複数の第１のデータ信号と、可変レートで入力される第２のデータ信号とを多重して、前記第１のフレームを生成する多重手段とを備える。前記多重手段は、前記第１のフレームに、前記第１のデータ信号の多重数に関する情報を含める。【００１４】
また、本発明の第２の態様に係る無線伝送装置は、適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する通信手段と、前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離する分離手段と、自装置へ固定レートで並列に入力される複数の第３のデータ信号と、自装置へ可変レートで入力される第４のデータ信号とを多重して、前記第２のフレームを生成する多重手段とを備える。前記多重手段は、前記第３のデータ信号の多重数を、前記第１のデータ信号の多重数に応じて決定する。【００１５】
また、本発明の第３の態様に係る無線伝送システムは、適応変調方式を採用し、第１の無線伝送路を介して第１のフレームを送信すると共に、前記第１の無線伝送路とは異なる周波数が適用される第２の無線伝送路を介して第２のフレームを受信する第１の無線伝送装置と、適応変調方式を採用し、前記第１の無線伝送路を介して前記第１の無線伝送装置から前記第１のフレームを受信すると共に、前記第２の無線伝送路を介して前記第１の無線伝送装置へ前記第２のフレームを送信する第２の無線伝送装置とを備える。前記第１の無線伝送装置は、自装置へ固定レートで並列に入力される複数の第１のデータ信号と、自装置へ可変レートで入力される第２のデータ信号とを多重して、前記第１のフレームを生成し、前記第１のフレームに、前記第１のデータ信号の多重数に関する情報を含める。前記第２の無線伝送装置は、前記第１のフレームから、前記第１のデータ信号、前記第２のデータ信号、及び前記第１のデータ信号の多重数に関する情報を分離し、自装置へ固定レートで並列に入力される複数の第３のデータ信号と、自装置へ可変レートで入力される第４のデータ信号とを多重して、前記第２のフレームを生成し、前記第３のデータ信号の多重数を、前記第１のデータ信号の多重数に応じて決定する。【００１６】
また、本発明の第４の態様に係る制御方法は、適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する無線伝送装置の制御方法を提供する。この制御方法は、固定レートで並列に入力される複数の第１のデータ信号と、可変レートで入力される第２のデータ信号とを多重して、前記第１のフレームを生成し、前記第１のフレームに、前記第１のデータ信号の多重数に関する情報を含めることを含む。【００１７】
さらに、本発明の第５の態様に係る制御方法は、適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する無線伝送装置の制御方法を提供する。この制御方法は、前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離し、前記無線伝送装置へ固定レートで並列に入力される複数の第３のデータ信号と、前記無線伝送装置へ可変レートで入力される第４のデータ信号とを多重して、前記第２のフレームを生成し、前記第３のデータ信号の多重数を、前記第１のデータ信号の多重数に応じて決定することを含む。
【発明の効果】
【００１８】
本発明によれば、適応変調方式及びＦＤＤ方式の両者を採用し、且つ固定レート信号と可変レート信号とを多重伝送する条件下において、無線伝送帯域に対するデータ伝送の効率を向上させることが可能である。
【図面の簡単な説明】
【００１９】
【図１】本発明の実施の形態１に係る無線伝送システムの構成例を示したブロック図である。
【図２】本発明の実施の形態１に係る無線伝送システムに用いるフレームの構成例を示した図である。
【図３】本発明の実施の形態１に係る無線伝送装置の構成例を示したブロック図である。
【図４】本発明の実施の形態１に係る無線伝送装置の動作例を示したフローチャート図である。
【図５】本発明の実施の形態１に係る無線伝送装置における第１のデータ伝送例を示した図である。
【図６】本発明の実施の形態１に係る無線伝送装置における第２のデータ伝送例を示した図である。
【図７】本発明の実施の形態１に係る無線伝送装置における第３のデータ伝送例を示した図である。
【図８】本発明の実施の形態２に係る無線伝送装置の構成例を示したブロック図である。
【発明を実施するための形態】
【００２０】
以下、本発明に係る無線伝送装置及びこれを適用する無線伝送システムの実施の形態１及び２を、図１〜図８を参照して説明する。なお、各図面において、同一又は類似の要素には同一又は類似の符号が付されており、説明の明確化のため、必要に応じて重複説明は省略される。
【００２１】
[実施の形態１]
図１に示すように、本実施の形態に係る無線伝送システム１は、対向する２台の無線伝送装置２＿１及び２＿２(以下、符号２で総称することがある)を含む。無線伝送装置２には、適応変調方式が採用される。また、無線伝送装置２には、ＦＤＤ方式も採用される。
【００２２】
この内、無線伝送装置２＿１には、その外部から、複数の固定レート信号ＦＳ１＿１〜ＦＳ１＿ｎ(ｎは２以上の整数)が並列に入力されると共に、可変レート信号ＶＳ２が入力される。無線伝送装置２＿１は、幾つかの固定レート信号と可変レート信号を多重し、無線フレームＦＲ１を生成する。
【００２３】
この時、無線伝送装置２＿１は、フレームＦＲ１に、固定レート信号の多重数に関する情報ＭＮ(以下、多重数情報と呼称することがある)を含める。ここで、多重数情報ＭＮは、フレームに多重した固定レート信号の数を示す。フレームは、例えば図２に示す如く構成すれば良い。図２に示すフレームＦＲは、オーバヘッド領域１０１と、ペイロード領域１０２とを含む。この場合、無線伝送装置２＿１は、多重数情報ＭＮを、オーバヘッド領域１０１中の例えばリザーブ領域に設定する。また、無線伝送装置２＿１は、固定レート信号ＦＳ及び可変レート信号ＶＳを、ペイロード領域１０２に設定する。
【００２４】
そして、無線伝送装置２＿１は、無線伝送路ＣＨ１を介して、フレームＦＲ１を無線伝送装置２＿２へ送信する。
【００２５】
一方、無線伝送装置２＿２は、フレームＦＲ１を受信すると、フレームＦＲ１から、固定レート信号、可変レート信号、及び多重数情報ＭＮを分離する。無線伝送装置２＿２は、その外部へ、分離によって得られる固定レート信号ＦＳ１＿１〜ＦＳ１＿ｎ及び可変レート信号ＶＳ２を出力する。
【００２６】
また、無線伝送装置２＿２には、その外部から、複数の固定レート信号ＦＳ３＿１〜ＦＳ３＿ｎが並列に入力されると共に、可変レート信号ＶＳ４が入力される。なお、無線伝送装置２＿１及び２＿２に対する固定レート信号の入力数"ｎ"は、互いに異なる値であっても良い。無線伝送装置２＿２は、幾つかの固定レート信号と可変レート信号を多重し、無線フレームＦＲ２を生成する。
【００２７】
この時、無線伝送装置２＿２は、フレームＦＲ２における固定レート信号の多重数を、多重数情報ＭＮに応じて決定する。具体的には、無線伝送装置２＿２は、フレームＦＲ２における固定レート信号の多重数を、フレームＦＲ１における固定レート信号の多重数に合わせて削減するか又は増加させる。
【００２８】
そして、無線伝送装置２＿２は、ＣＨ１とは異なる周波数が適用された無線伝送路ＣＨ２を介して、フレームＦＲ２を無線伝送装置２＿１へ送信する。
【００２９】
無線伝送装置２＿１は、フレームＦＲ２を受信すると、フレームＦＲ２から、固定レート信号及び可変レート信号を分離する。無線伝送装置２＿１は、その外部へ、分離によって得られる固定レート信号ＦＳ３＿１〜ＦＳ３＿ｎ及び可変レート信号ＶＳ４を出力する。
【００３０】
このように、本実施の形態においては、一方の無線伝送装置が固定レート信号の多重数を指示し、この指示に従って、他方の無線伝送装置が固定レート信号の多重数を調整する。
【００３１】
このため、上り無線伝送路と下り無線伝送路との特性差異に因って無線伝送装置同士間で変調方式が異なった場合であっても、固定レート信号の多重数を無線伝送装置同士間で対称化する等の調整が可能である。換言すると、余剰な固定レート信号が、一方の無線伝送装置によって無線伝送帯域に多重され、他方の無線伝送装置で破棄されるといった事態を回避できる。
【００３２】
また、本実施の形態においては、上り無線伝送路と下り無線伝送路とに互いに異なる変調方式が適用されても良いため、上記の特許文献１のように適応変調方式のメリットを損なうことも無い。
【００３３】
従って、本実施の形態によれば、適応変調方式及びＦＤＤ方式の両者を採用し、且つ固定レート信号と可変レート信号とを多重伝送する条件下において、無線伝送帯域に対するデータ伝送の効率を、従来と比して大幅に向上させることができる。なお、固定レート信号の多重数を無線伝送装置同士間で一致させることは必須では無い。これは、固定レート信号の多重数を無線伝送装置同士間で近づける程に、無線伝送帯域の余剰な使用を低減できるためである。
【００３４】
以下、上記の動作を実現する無線伝送装置２の具体的な構成例及び動作例を、図３〜図７を参照して詳細に説明する。
【００３５】
図３に示すように、無線伝送装置２は、無線通信部１０と、無線フレーム多重部２０と、無線フレーム分離部３０とを含む。
【００３６】
この内、無線通信部１０は、無線フレーム多重部２０から入力される送信フレームＦＲｔに対して変調処理、及びＤＡ(Ｄｉｇｉｔａｌ ｔｏ Ａｎａｌｏｇ)変換、周波数変換等の処理を施し、以てアンテナ１１を介して、送信フレームＦＲｔを無線信号として送出する。また、無線通信部１０は、アンテナ１１を介して受信した無線信号に対して周波数変換、ＡＤ(Ａｎａｌｏｇ ｔｏ Ｄｉｇｉｔａｌ)変換等の処理、復調処理を施し、これにより得た受信フレームＦＲｒを無線フレーム分離部３０へ出力する。さらに、無線通信部１０は、図３に点線で示す如く、適応変調制御部１２を含む。適応変調制御部１２は、無線伝送路の状態に応じて変調方式及び復調方式を選択する制御を行う。具体的には、適応変調制御部１２は、降雨時の電波減衰やマルチパスフェージングの影響等に因って変動する無線伝送路の伝送品質を算出し、伝送品質に則して変調方式及び復調方式を動的に変更する。
【００３７】
また、無線フレーム多重部２０は、"ｎ"個の固定レート信号入力部２１＿１〜２１＿ｎと、可変レート信号入力部２２と、多重部２３と、多重制御部２４とを含む。
【００３８】
固定レート信号入力部２１＿１〜２１＿ｎの各々は、入力端子２５と、送信バッファ２６とを含む。"ｎ"個の送信固定レート信号ＦＳｔ＿１〜ＦＳｔ＿ｎ(以下、符号ＦＳｔで総称することがある)の各々は、入力端子２５を介して、送信バッファ２６へ記憶される。
【００３９】
可変レート信号入力部２２は、入力端子２７と、送信バッファ２８とを含む。送信可変レート信号ＶＳｔは、入力端子２７を介して、送信バッファ２８へ記憶される。
【００４０】
多重部２３は、多重制御部２４から入力される送信多重数情報ＭＮｔに従って、固定レート信号ＦＳｔ及び可変レート信号ＶＳｔをフレームＦＲｔに多重し、無線通信部１０へ出力する。この時、多重部２３は、無線通信部１０で選択されている変調方式に応じて、信号の伝送容量(図２に示したペイロード領域１０２の長さ)を算出する。また、多重部２３は、多重数情報ＭＮｔが示す数分の固定レート信号ＦＳｔを、固定レート信号入力部２１＿１〜２１＿ｎ内の送信バッファ２６から例えば信号番号"１"〜"ｎ"の若番又は老番順に読出し、ペイロード領域１０２の一部の領域に設定する。また、多重部２３は、可変レート信号ＶＳｔを、可変レート信号入力部２２内の送信バッファ２８から読み出し、ペイロード領域１０２の残りの領域に設定する。さらに、多重部２３は、多重数情報ＭＮｔを、オーバヘッド領域１０１に設定する。
【００４１】
多重制御部２４は、無線フレーム分離部３０から入力される受信多重数情報ＭＮｒに応じて、送信多重数情報ＭＮｔを決定する。ここで、受信多重数情報ＭＮｒは、対向装置によって設定され、受信フレームＦＲｒに多重されている固定レート信号の数を示す。多重制御部２４は、この数に、送信フレームＦＲｔに多重すべき固定レート信号の数を一致させる。また、多重制御部２４は、一致させた数を、送信多重数情報ＭＮｔとして多重部２３へ出力する。
【００４２】
さらに、無線フレーム分離部３０は、分離部３１と、"ｎ"個の固定レート信号出力部３２＿１〜３２＿ｎと、可変レート信号出力部３３とを含む。
【００４３】
分離部３１は、受信フレームＦＲｒから、受信固定レート信号ＦＳｒ＿１〜ＦＳｒ＿ｎ(以下、符号ＦＳｒで総称することがある)、受信可変レート信号ＶＳｒ、及び受信多重数情報ＭＮｒを抽出する。この時、分離部３１は、受信固定レート信号ＦＳｒ＿１〜ＦＳｒ＿ｎを、固定レート信号出力部３２＿１〜３２＿ｎへそれぞれ出力する。また、分離部３１は、受信可変レート信号ＶＳｒを、可変レート信号出力部３３へ出力する。さらに、分離部３１は、受信多重数情報ＭＮｒを、無線フレーム多重部２０内の多重制御部２４へ出力する。
【００４４】
固定レート信号出力部３２＿１〜３２＿ｎの各々は、受信バッファ３４と、出力端子３５とを含む。受信固定レート信号ＦＳｒ＿１〜ＦＳｒ＿ｎの各々は、受信バッファ３４へ一旦記憶された後、出力端子３５を介して外部へ出力される。
【００４５】
可変レート信号出力部３３は、受信バッファ３６と、出力端子３７とを含む。受信可変レート信号ＶＳｒは、受信バッファ３６へ一旦記憶された後、出力端子３７を介して外部へ出力される。
【００４６】
次に、無線伝送装置２の具体的な動作例を、図４〜図７を参照して説明する。
【００４７】
図４に示すように、無線伝送装置２内の多重制御部２４は、分離部３１によって受信多重数情報ＭＮｒが抽出される度毎に、送信多重数情報ＭＮｔが示す数(送信フレームＦＲｔに対する固定レート信号のカレントの多重数)と、受信多重数情報ＭＮｒが示す数とを比較する。なお、以降の説明においては、送信多重数情報ＭＮｔが示す数を、送信多重数と呼称し、同一の符号ＭＮｔを用いて参照することがある。同様に、受信多重数情報ＭＮｒが示す数を、受信多重数と呼称し、同一の符号ＭＮｒを用いて参照することがある。
【００４８】
この結果、"送信多重数ＭＮｔ＝受信多重数ＭＮｒ"が成立する場合(ステップＳ１)、多重制御部２４は、送信多重数ＭＮｔを変更しない。
【００４９】
これにより、図５に示す如く、送信フレームＦＲｔにおける固定レート信号ＦＳｔの多重数と、受信フレームＦＲｒにおける固定レート信号ＦＳｒの多重数とが一致する状態が維持される。
【００５０】
一方、無線伝送装置２と対向装置との間で変調方式が不一致であり、この結果、"送信多重数ＭＮｔ＞受信多重数ＭＮｒ"が成立する場合(ステップＳ２)、多重制御部２４と多重部２３の協調動作によって、ステップＳ３及びＳ４に示す処理が実行される。
【００５１】
今、図６に示すように、無線伝送装置２が、或るタイミングで、フレームＦＲｔ＿１を送信すると共に、フレームＦＲｒ＿１を受信したとする。また、送信フレームＦＲｔ＿１には、固定レート信号ＦＳｔが、受信フレームＦＲｒ＿１に多重された固定レート信号ＦＳｒの数よりも多く多重されているとする。上述した通り、余剰な固定レート信号は、対向装置にて廃棄される虞がある(ステップＳ１１)。
【００５２】
このため、多重制御部２４は、送信多重数ＭＮｔを、受信多重数ＭＮｒと一致するよう削減する(ステップＳ３)。そして、多重制御部２４は、更新後の送信多重数ＭＮｔを、多重部２３へ通知する。多重部２３は、更新後の送信多重数ＭＮｔに従って、次に送信すべきフレームＦＲｔ＿２に固定レート信号ＦＳｔを多重する。
【００５３】
これにより、図６に示すように、送信フレームＦＲｔ＿２における固定レート信号ＦＳｔの多重数と、対向装置から次に受信されるフレームＦＲｒ＿２における固定レート信号ＦＳｒの多重数とが一致することとなる。
【００５４】
また、多重部２３は、送信多重数ＭＮｔの削減により生じたペイロード領域１０２中の空き領域を、送信可変レート信号ＶＳｔの多重に割り当てる(ステップＳ４)。
【００５５】
これにより、可変レート信号の伝送効率を向上させることもでき、以て無線伝送帯域に対するデータ伝送の効率を最適化することができる。
【００５６】
一方、上記のステップＳ２で"送信多重数ＭＮｔ＜受信多重数ＭＮｒ"が成立する場合、すなわち、図７に示す如く、送信フレームＦＲｔ＿１における固定レート信号ＦＳｔの伝送帯域が、受信フレームＦＲｒ＿１における固定レート信号ＦＳｒの伝送帯域と比して不足している場合(ステップＳ２１)、多重制御部２４は、送信多重数ＭＮｔを受信多重数ＭＮｒと一致するよう増加させ、以て送信可変レート信号ＶＳｔの伝送帯域を削減する(ステップＳ５)。
【００５７】
そして、多重制御部２４は、更新後の送信多重数ＭＮｔを、多重部２３へ通知する。多重部２３は、送信可変レート信号ＶＳｔの伝送帯域の削減により生じたペイロード領域１０２中の空き領域を、固定レート信号ＦＳｔの多重に割り当てる(ステップＳ６)。
【００５８】
これにより、図７に示すように、送信フレームＦＲｔ＿２における固定レート信号ＦＳｔの多重数と、受信フレームＦＲｒ＿２における固定レート信号ＦＳｒの多重数とが一致することとなる。
【００５９】
[実施の形態２]
本実施の形態に係る無線伝送システムは、上記の実施の形態１と同様に構成できる。但し、本実施の形態に係る無線伝送装置は、図８に示す如く構成される点で、上記の実施の形態１と異なる。
【００６０】
具体的には、図８に示す無線伝送装置２ａにおいては、無線フレーム多重部２０にクロスコネクト部２９が追設されている。クロスコネクト部２９は、多重制御部２４から入力される送信クロスコネクト情報ＩＮＦｔに従い、固定レート信号入力部２１＿１〜２１＿ｎからそれぞれ読み出した送信固定レート信号ＦＳｔ＿１〜ＦＳｔ＿ｎに対してクロスコネクト処理を施し、多重部２３へ出力する。
【００６１】
ここで、送信クロスコネクト情報ＩＮＦｔには、送信固定レート信号ＦＳｔ＿１〜ＦＳｔ＿ｎ各々の優先度が設定されている。クロスコネクト部２９は、高い優先度が付された送信固定レート信号を、他の送信固定レート信号より優先して読み出し、多重部２３へ転送する。
【００６２】
これにより、多重部２３が、上記の実施の形態１で説明したように、送信多重数情報ＭＮｔが示す数分の固定レート信号ＦＳｔを信号番号"１"〜"ｎ"の若番又は老番順に送信フレームＦＲｔに多重する場合であっても、優先度の高い固定レート信号に対する帯域保証を行うことができる。
【００６３】
また、本実施の形態においては、図８に点線で示す如く、無線フレーム分離部３０にクロスコネクト部３８を追設しても良い。この場合、クロスコネクト部３８は、多重制御部２４から入力される受信クロスコネクト情報ＩＮＦｒに従い、受信固定レート信号ＦＳｒ＿１〜ＦＳｒ＿ｎに対してクロスコネクト処理を施す。具体的には、受信クロスコネクト情報ＩＮＦｒには、受信固定レート信号ＦＳｒ＿１〜ＦＳｒ＿ｎ各々の出力先が設定されている。クロスコネクト部３８は、この設定に従って、受信固定レート信号ＦＳｒを適切な固定レート信号出力部へ転送する。
【００６４】
なお、上記の実施の形態によって本発明は限定されるものではなく、特許請求の範囲の記載に基づき、当業者によって種々の変更が可能なことは明らかである。
【００６５】
この出願は、２０１１年５月３１日に出願された日本出願特願２０１１−１２２０４２を基礎とする優先権を主張し、その開示の全てをここに取り込む。
【産業上の利用可能性】
【００６６】
本発明は、無線伝送装置、無線伝送システム、及び無線伝送装置の制御方法に適用され、特に固定レート信号と可変レート信号とを１つの無線伝送帯域に多重して伝送する用途に適用される。【００６７】
上記の実施の形態の一部又は全部は、以下の付記のようにも記載され得るが、以下には限られない。【００６８】
（付記１）
適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する通信手段と、
固定レートで並列に入力される複数の第１のデータ信号と、可変レートで入力される第２のデータ信号とを多重して、前記第１のフレームを生成する多重手段と、を備え、
前記多重手段は、前記第１のフレームに、前記第１のデータ信号の多重数に関する情報を含める、
無線伝送装置。【００６９】
（付記２）
付記１において、
前記第２のフレームから、前記対向装置へ固定レートで並列に入力された複数の第３のデータ信号と、前記対向装置へ可変レートで入力された第４のデータ信号と、前記第３のデータ信号の多重数に関する情報とを分離する分離手段を、さらに備え、
前記多重手段は、前記第１のデータ信号の多重数を、前記第３のデータ信号の多重数に応じて決定する、
ことを特徴とした無線伝送装置。【００７０】
（付記３）
付記２において、
前記多重手段は、前記第１のデータ信号の多重数を、前記第３のデータ信号の多重数に一致させる、
ことを特徴とした無線伝送装置。【００７１】
（付記４）
付記２又は３において、
前記多重手段は、前記第１のデータ信号の多重数を削減すると決定した場合、前記削減により生じた前記第１のフレーム中の空き領域を、前記第２のデータ信号の多重に割り当てる、
ことを特徴とした無線伝送装置。【００７２】
（付記５）
付記１〜４のいずれか一つにおいて、
前記多重手段は、前記第１のデータ信号各々の優先度に応じて、前記第１のデータ信号の内から、前記第１のフレームに多重すべきデータ信号を選択する、
ことを特徴とした無線伝送装置。【００７３】
（付記６）
適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する通信手段と、
前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離する分離手段と、
自装置へ固定レートで並列に入力される複数の第３のデータ信号と、自装置へ可変レートで入力される第４のデータ信号とを多重して、前記第２のフレームを生成する多重手段と、を備え、
前記多重手段は、前記第３のデータ信号の多重数を、前記第１のデータ信号の多重数に応じて決定する、
無線伝送装置。【００７４】
（付記７）
付記６において、
前記多重手段は、前記第３のデータ信号の多重数を、前記第１のデータ信号の多重数に一致させる、
ことを特徴とした無線伝送装置。【００７５】
（付記８）
付記６又は７において、
前記多重手段は、前記第３のデータ信号の多重数を削減すると決定した場合、前記削減により生じた前記第２のフレーム中の空き領域を、前記第４のデータ信号の多重に割り当てる、
ことを特徴とした無線伝送装置。【００７６】
（付記９）
適応変調方式を採用し、第１の無線伝送路を介して第１のフレームを送信すると共に、前記第１の無線伝送路とは異なる周波数が適用される第２の無線伝送路を介して第２のフレームを受信する第１の無線伝送装置と、
適応変調方式を採用し、前記第１の無線伝送路を介して前記第１の無線伝送装置から前記第１のフレームを受信すると共に、前記第２の無線伝送路を介して前記第１の無線伝送装置へ前記第２のフレームを送信する第２の無線伝送装置と、を備え、
前記第１の無線伝送装置は、
自装置へ固定レートで並列に入力される複数の第１のデータ信号と、自装置へ可変レートで入力される第２のデータ信号とを多重して、前記第１のフレームを生成し、
前記第１のフレームに、前記第１のデータ信号の多重数に関する情報を含め、
前記第２の無線伝送装置は、
前記第１のフレームから、前記第１のデータ信号、前記第２のデータ信号、及び前記第１のデータ信号の多重数に関する情報を分離し、
自装置へ固定レートで並列に入力される複数の第３のデータ信号と、自装置へ可変レートで入力される第４のデータ信号とを多重して、前記第２のフレームを生成し、
前記第３のデータ信号の多重数を、前記第１のデータ信号の多重数に応じて決定する、
無線伝送システム。【００７７】
（付記１０）
適応変調方式を採用し、第１の無線伝送路を介して、対向装置へ第１のフレームを送信すると共に、前記第１の無線伝送路とは異なる周波数が適用される第２の無線伝送路を介して、前記対向装置から第２のフレームを受信する無線伝送装置の制御方法であって、
固定レートで並列に入力される複数の第１のデータ信号と、可変レートで入力される第２のデータ信号とを多重して、前記第１のフレームを生成し、
前記第１のフレームに、前記第１のデータ信号の多重数に関する情報を含める、
ことを含む無線伝送装置の制御方法。【００７８】
（付記１１）
付記１０において、
前記第２のフレームから、前記対向装置へ固定レートで並列に入力された複数の第３のデータ信号と、前記対向装置へ可変レートで入力された第４のデータ信号と、前記第３のデータ信号の多重数に関する情報とを分離する、ことをさらに含み、
前記第１のデータ信号の多重数を、前記第３のデータ信号の多重数に応じて決定する、
ことを特徴とした無線伝送装置の制御方法。【００７９】
（付記１２）
付記１１において、
前記第１のデータ信号の多重数を、前記第３のデータ信号の多重数に一致させる、
ことを特徴とした無線伝送装置の制御方法。【００８０】
（付記１３）
付記１１又は１２において、
前記第１のデータ信号の多重数を削減すると決定した場合、前記削減により生じた前記第１のフレーム中の空き領域を、前記第２のデータ信号の多重に割り当てる、
ことをさらに含む無線伝送装置の制御方法。【００８１】
（付記１４）
付記１０〜１３のいずれか一つにおいて、
前記第１のデータ信号各々の優先度に応じて、前記第１のデータ信号の内から、前記第１のフレームに多重すべきデータ信号を選択する、
ことを特徴とした無線伝送装置の制御方法。【００８２】
（付記１５）
適応変調方式を採用し、第１の無線伝送路を介して、対向装置から第１のフレームを受信すると共に、前記第１の無線伝送路とは異なる周波数が適用される第２の無線伝送路を介して、前記対向装置へ第２のフレームを送信する無線伝送装置の制御方法であって、
前記第１のフレームから、前記対向装置へ固定レートで並列に入力された複数の第１のデータ信号と、前記対向装置へ可変レートで入力された第２のデータ信号と、前記第１のデータ信号の多重数に関する情報とを分離し、
前記無線伝送装置へ固定レートで並列に入力される複数の第３のデータ信号と、前記無線伝送装置へ可変レートで入力される第４のデータ信号とを多重して、前記第２のフレームを生成し、
前記第３のデータ信号の多重数を、前記第１のデータ信号の多重数に応じて決定する、
ことを含む無線伝送装置の制御方法。【００８３】
（付記１６）
付記１５において、
前記第３のデータ信号の多重数を、前記第１のデータ信号の多重数に一致させる、
ことを特徴とした無線伝送装置の制御方法。【００８４】
（付記１７）
付記１５又は１６において、
前記第３のデータ信号の多重数を削減すると決定した場合、前記削減により生じた前記第２のフレーム中の空き領域を、前記第４のデータ信号の多重に割り当てる、
ことをさらに含む無線伝送装置の制御方法。
【符号の説明】
【００８５】
１  無線伝送システム
２, ２＿１, ２＿２, ２ａ  無線伝送装置
１０  無線通信部
１１  アンテナ
１２  適応変調制御部
２０  無線フレーム多重部
２１＿１〜２１＿ｎ  固定レート信号入力部
２２  可変レート信号入力部
２３  多重部
２４  多重制御部
２５, ２７  入力端子
２６, ２８  送信バッファ
２９, ３８  クロスコネクト部
３０  無線フレーム分離部
３１  分離部
３２＿１〜３２＿ｎ  固定レート信号出力部
３３  可変レート信号出力部
３４, ３６  受信バッファ
３５, ３７  出力端子
１０１  オーバヘッド領域
１０２  ペイロード領域
ＣＨ１, ＣＨ２  無線伝送路
ＦＲ, ＦＲ１, ＦＲ２  無線フレーム
ＦＲｒ, ＦＲｒ＿１, ＦＲｒ＿２  受信フレーム
ＦＲｔ, ＦＲｔ＿１, ＦＲｔ＿２  送信フレーム
ＦＳ, ＦＳ１＿１〜ＦＳ１＿ｎ, ＦＳ３＿１〜ＦＳ３＿ｎ  固定レート信号
ＦＳｒ, ＦＳｒ＿１〜ＦＳｒ＿ｎ  受信固定レート信号
ＦＳｔ, ＦＳｔ＿１〜ＦＳｔ＿ｎ  送信固定レート信号
ＩＮＦｒ  受信クロスコネクト情報
ＩＮＦｔ  送信クロスコネクト情報
ＭＮ  多重数(情報)
ＭＮｒ  受信多重数(情報)
ＭＮｔ  送信多重数(情報)
ＶＳ, ＶＳ２, ＶＳ４  可変レート信号
ＶＳｒ  受信可変レート信号
ＶＳｔ  送信可変レート信号
【図１】
2012164840.tif 000003
【図２】
2012164840.tif 000004
【図３】
2012164840.tif 000005
【図４】
2012164840.tif 000006
【図５】
2012164840.tif 000007
【図６】
2012164840.tif 000008
【図７】
2012164840.tif 000009
【図８】
2012164840.tif 000010
【国際調査報告】
2012164840.tif 000011
2012164840.tif 000012
2012164840.tif 000013
2012164840.tif 000014